(57)【特許請求の範囲】
【請求項１】
少なくとも１つの周辺ユニットと装置との間の無線通信を可能にする方法において、前記少なくとも１つの周辺ユニットが、第１の通信タイプによって無線ドッキングステーションにおいて設けられるペアリングシステムと通信し、前記装置が、第２の通信タイプによって前記ペアリングシステムと通信し、前記方法は、
前記ペアリングシステムが、前記第１の通信タイプによって通信するメイン通信ユニットを構成するステップと、
前記少なくとも１つの周辺ユニットを前記メイン通信ユニットとペアリングするステップと、
前記ペアリングシステムが、前記装置が前記無線ドッキングステーションの通信範囲内にあるかどうかを検出するステップと、
前記ペアリングシステムが、前記装置が前記無線ドッキングステーションの通信範囲内にあることを検出した場合に、前記少なくとも１つの周辺ユニットと通信するのに適したペアリング情報を前記装置に送信するステップと、
前記装置が、前記無線ドッキングステーションから受信された前記ペアリング情報を使用して、前記第１の通信タイプによって前記少なくとも１つの周辺ユニットと通信する第２の通信ユニットを構成し、前記第２の通信ユニットを前記メイン通信ユニットと同一となるように構成するステップと、
前記無線ドッキングステーションが、前記少なくとも１つの周辺ユニットと同時に通信するユニットが１つだけとなるように、前記メイン通信ユニットと前記少なくとも１つの周辺ユニットとの通信を停止させるステップと、
を有する方法。
【請求項２】
前記無線ドッキングステーションが、第３の通信タイプによって前記装置に前記ペアリング情報を通信する、請求項１に記載の方法。
【請求項３】
前記方法は、前記無線ドッキングステーションが、前記第２の通信タイプによって前記無線ドッキングステーションに対して前記装置を接続すると前記第３の通信タイプによって前記装置に前記ペアリング情報を通信するステップを有する、請求項２に記載の方法。
【請求項４】
前記第３の通信タイプが、帯域外通信タイプを有する、請求項２又は３に記載の方法。
【請求項５】
前記第３の通信タイプが、前記無線ドッキングステーションと前記装置との間の近接場通信を使用する、請求項４に記載の方法。
【請求項６】
前記方法は、前記装置が、前記ペアリング情報を受信すると前記無線ドッキングステーションに対する承認メッセージを送信するステップを有する、請求項１に記載の方法。
【請求項７】
前記方法は、前記無線ドッキングステーションの前記メイン通信ユニットが、前記承認メッセージを受信すると前記少なくとも１つの周辺ユニットとの通信を停止するステップを有する、請求項６に記載の方法。
【請求項８】
前記方法は、前記メイン通信ユニットが、前記装置の前記第２の通信ユニットが前記少なくとも１つの周辺ユニットとの通信を停止することを検出すると、前記少なくとも１つの周辺ユニットとの前記第１の通信タイプを引き継ぐステップを有する、請求項７に記載の方法。
【請求項９】
前記方法は、前記メイン通信ユニットが、前記装置と前記無線ドッキングステーションとの間の切断事象の後に前記少なくとも１つの周辺ユニットとの前記第１の通信タイプを引き継ぐステップを有する、請求項７又は８に記載の方法。
【請求項１０】
前記方法は、前記無線ドッキングステーションが、前記メイン通信ユニットと前記少なくとも１つの周辺ユニットとの間の暗号化鍵を新しくするステップを有する、請求項９に記載の方法。
【請求項１１】
前記暗号化鍵を新しくするステップが、前記メイン通信ユニットと各周辺ユニットとの間の前記第１の通信タイプの最小通信信号強度値を決定するステップと、各周辺ユニットに適した前記決定された信号強度値を使用することにより通信するステップとを含む、請求項１０に記載の方法。
【請求項１２】
前記第１の通信タイプが、ブルートゥース規格を有する、請求項１に記載の方法。
【請求項１３】
前記第２の通信タイプが、Ｗｉ−Ｆｉ規格、又は、Ｗｉ−Ｆｉ ＤＩＲＥＣＴ規格を有する、請求項１に記載の方法。
【請求項１４】
少なくとも１つの周辺ユニットと装置との間の無線通信を可能にする、無線ドッキングステーションにおいて設けられるペアリングシステムにおいて、
第１の通信タイプによって少なくとも１つの周辺ユニットとペアリングするメイン通信ユニットと通信する手段と、
第２の通信タイプによって前記装置と通信する通信モジュールと、
前記ペアリングシステムによって前記装置が前記無線ドッキングステーションの通信範囲内にあることが検出された場合に、前記少なくとも１つの周辺ユニットと通信するのに適したペアリング情報を前記装置に送信する手段と、
を有し、
前記装置が、前記ペアリングシステムから受信された前記ペアリング情報を使用して、前記第１の通信タイプによって前記少なくとも１つの周辺ユニットと通信する第２の通信ユニットを構成し、前記第２の通信ユニットを前記メイン通信ユニットと同一となるように構成し、
前記無線ドッキングステーションが、前記少なくとも１つの周辺ユニットと同時に通信するユニットが１つだけとなるように、前記メイン通信ユニットと前記少なくとも１つの周辺ユニットとの通信を停止させる、無線ドッキングステーション。
【請求項１５】
少なくとも１つの周辺ユニットと装置との間の無線通信を可能にするための前記装置において、前記少なくとも１つの周辺ユニットが、第１の通信タイプによって無線ドッキングステーションにおいて設けられるペアリングシステムと通信し、前記装置が、第２の通信タイプによって前記ペアリングシステムと通信し、前記装置は、
前記ペアリングシステムが、前記第１の通信タイプによって通信するメイン通信ユニットを構成し、
前記少なくとも１つの周辺ユニットを前記メイン通信ユニットとペアリングし、
前記ペアリングシステムが、前記装置が前記無線ドッキングステーションの通信範囲内にあるかどうかを検出し、
前記ペアリングシステムが、前記装置が前記無線ドッキングステーションの通信範囲内にあることを検出した場合に、前記少なくとも１つの周辺ユニットと通信するのに適したペアリング情報を前記装置に送信し、
前記装置が、前記ペアリングシステムから受信された前記ペアリング情報を使用して、前記第１の通信タイプによって前記少なくとも１つの周辺ユニットと通信する第２の通信ユニットを構成し、前記第２の通信ユニットを前記メイン通信ユニットと同一となるように構成し、
前記無線ドッキングステーションが、前記少なくとも１つの周辺ユニットと同時に通信するユニットが１つだけとなるように、前記メイン通信ユニットと前記少なくとも１つの周辺ユニットとの通信を停止させる、装置。
【発明の詳細な説明】
【技術分野】
【０００１】
本発明は、無線家庭ネットワークに関し、より具体的には、少なくとも１つの周辺ユニットと装置との間の無線通信を可能にする方法に関する。
【０００２】
本発明は、例えば、ブルートゥース無線ネットワークに関する。
【背景技術】
【０００３】
文献ＷＯ０３／０５３０４８Ａ１は、無線で相互接続される装置を有するシステムを開示している。このシステムは、パーソナルデジタルアシスタントＰＤＡ、スマートホン、ラップトップ等のような携帯装置と通信するドッキング環境を形成することができる。この種の全ての装置の間の無線通信に対する適切な技術は、例えばＷｉ−Ｆｉ又はブルートゥース等である。通信は無線であるが、前記装置は、ペアリングされるまで通信することができない。ペアリングステップは、安全な接続をセットアップすることを必要とされる。一度２つの装置の間の最初のペアリングが実行されると、これら２つの装置の間の他のペアリングは、自動的に生じることができる。
【０００４】
装置をペアリングする様々な可能性が存在する。例えば、Ｖ２．１より前のブルートゥースバージョンに対する従来のブルートゥースコア仕様において、ブルートゥース装置のペアリングは、ユーザが、前記装置の間の安全なペアリングを望む場合に個人識別番号ＰＩＮコードを入力することを必要としうる。前記装置の一方が、マスタユニットの役割を担い、他方の装置は、スレーブ装置の役割を担い、全体として前記装置はピコネットを形成する。
【０００５】
ブルートゥースＶ２．１において、セキュアシンプルペアリングと称される他のペアリングスキームが追加されている。セキュアシンプルペアリングの４つの基本的な変形が存在する。最初の２つは、ユーザ動作を要求する（'パスキー比較'及び'パスキー入力'）。次のもの、'シンプリー・ワークス'は、ユーザインタラクションを要求しないが、いわゆる中間者攻撃に対する保護を提供しない。残りのもの'アウト・オブ・バンド'は、近接場通信（ＮＦＣ）が使用される場合に１つの装置を他の装置の近くに移動するような、何らかのユーザインタラクションを伴いうる。
【０００６】
欠点は、携帯装置が、一度に１つの単一の周辺ユニットにペアリングしなくてはならないことである。更に、前記携帯装置は、各単一の周辺ユニットに対して利用可能なペアリングプロトコルを実行しなくてはならず、一部の周辺ユニットは、異なるユーザインタラクションを要求する。
【発明の概要】
【発明が解決しようとする課題】
【０００７】
本発明の目的は、上述の欠点の少なくとも１つを解決することである。
【０００８】
本発明の目的は、少なくとも１つの周辺ユニットと装置との間の無線通信を可能にする方法を提供することである。
【課題を解決するための手段】
【０００９】
この目的は、前記少なくとも１つの周辺ユニットが、第１の無線通信タイプによってペアリングシステムと通信し、前記装置が、第２の通信タイプによって前記ペアリングシステムと通信する方法において達成される。本発明による方法は、以下のステップ、
‐前記ペアリングシステムが、前記第１の無線通信タイプによって通信するメイン通信ユニットを構成するステップと、
‐前記少なくとも１つの周辺ユニットを前記メイン通信ユニットとペアリングするステップと、
‐前記ペアリングシステムが、前記少なくとも１つの周辺ユニットと通信するのに適したペアリング情報を前記装置に送信するステップと、
‐前記装置が、前記ペアリングシステムから受信された前記ペアリング情報を使用して、前記第１の無線通信タイプによって前記少なくとも１つの周辺ユニットと通信する第２の通信ユニットを構成するステップと、
を有する。
【００１０】
前記方法は、前記周辺ユニットを、ユーザにとって便利な形で前記装置の前記第２の通信ユニットと通信することができるようにする利点を持つ。前記周辺ユニットは、一度だけ前記ペアリングシステムとペアリングされる必要がある。前記ペアリングシステムが、ドッキングステーションの一部である場合、前記装置（例えば携帯装置）を前記ドッキングステーションにドッキングする動作は、前記装置を、ドッキングされる装置と称されるものにする。第２の通信タイプを使用する、このドッキングする動作は、前記ドッキングステーションからドッキングされる装置又は前記ドッキングされた装置へのペアリング情報の伝達を有し、又はトリガし、前記ドッキングされた装置は、前記第１の通信タイプを使用して、前記ドッキングされた装置を前記周辺ユニットの各々とペアリングする必要なしに、前記周辺ユニットと通信することができるようになる。他の利点は、前記ドッキングされた装置の前記第２の通信ユニットと前記周辺ユニットとの間の前記第１の通信タイプが、前記ドッキングされた装置と前記ドッキングステーションとの間の前記第２の通信タイプと独立であることができ、前記第２の通信タイプの帯域幅を他の応用に対して利用可能にしておくことができることである。
【００１１】
本発明の一実施例によると、前記ペアリング情報は、第３の通信タイプによって送信されてもよい。前記第３の通信タイプは、アウト・オブ・バンド通信タイプ、例えば前記ドッキングステーションと前記ドッキングされる装置又は前記ドッキングされた装置との間の近接場通信タイプを有することができる。前記第３の通信タイプは、前記ペアリング情報が前記ドッキングステーションから前記装置に送信される場合の安全レベルを改善する利点を持つ。
【００１２】
本発明の一実施例によると、前記ドッキングステーションの前記メイン通信ユニットは、前記ドッキングされた装置の前記第２の通信ユニットが前記第１の無線通信タイプの唯一の通信ユニットになるように、前記周辺ユニットとの通信を停止する。
【００１３】
本発明の一実施例によると、前記ドッキングされた装置は、前記ペアリング情報を受信すると承認メッセージを前記ドッキングステーションに送信する。一度前記ドッキングされた装置の前記第２の通信ユニットが、前記周辺ユニットと通信することができると、前記ドッキングされた装置は、前記ドッキングステーションが前記周辺ユニットとの通信を停止するように前記メイン通信ユニットを制御するように、このメッセージを前記ドッキングステーションに送信する。
【００１４】
本発明の一実施例によると、前記ドッキングステーションの前記メイン通信ユニットは、前記ドッキングされた装置の前記第２の通信ユニットが前記周辺ユニットとの通信を停止することを前記ドッキングステーションが検出すると、前記周辺ユニットとの前記第１の無線通信タイプを引き継ぐ。また、前記ドッキングステーションの前記メイン通信ユニットは、前記ドッキングステーションと前記ドッキングされた装置との間の切断事象の後に前記周辺ユニットとの前記第１の無線通信タイプを引き継ぐ。
【００１５】
本発明の一実施例によると、前記方法は、前記ドッキングステーションが、リストに登録されたドッキングされた装置に前記ペアリング情報を送信することを有する。前記ドッキングステーションは、装置の識別データをメモリモジュールに登録する。前記登録は、自動的に生じてもよく、又はユーザインタラクションを必要としうる。
【００１６】
本発明の一実施例によると、前記方法は、前記ドッキングステーションが、前記メイン通信ユニットと前記周辺ユニットとの間の暗号化鍵を新しくすることを有する。この新しくするステップは、１つのドッキングされた装置の切断（"切り離し事象"）と、他のドッキングされた装置の接続（"ドッキング事象"）との間のいつでも実行されることができる。この実施例は、前記周辺ユニットと通信することができうる第２の通信ユニットを有するドッキングされた装置の数にかかわらず前記第１の通信タイプの安全性を改善する利点を持つ。
【００１７】
前記暗号化鍵を新しくするステップは、前記ドッキングステーションの前記メイン通信ユニットと各周辺ユニットとの間の前記第１の無線通信タイプの最小通信信号強度値を決定することをも含むことができる。この場合、前記メイン通信ユニット及び／又は各周辺ユニットは、各周辺ユニットに適した前記決定された信号強度値を使用して通信することができる。これは、以前のドッキングされた装置が前記第１の通信タイプをオーバヒア（overhear）することができる範囲を減少させるので、前記暗号化鍵を新しくする場合の安全レベルを更に増大させる。もはやドッキング環境ではない以前のドッキングされた装置は、前記周辺ユニットと他のドッキングされた装置との間の通信をリッスンすることができず、これ自体の第２の通信ユニットの前記暗号化鍵を更新することができない。
【００１８】
本発明の一実施例によると、前記第１の無線通信タイプは、ブルートゥース通信規格を有する。
【００１９】
本発明の一実施例によると、前記第２の通信タイプは、Ｗｉ−Ｆｉ通信規格、より具体的にはＷｉ−Ｆｉ  ＤＩＲＥＣＴとしても知られるＷｉ−Ｆｉピア・ツー・ピア（Ｐ２Ｐ）通信タイプ規格を有する。
【００２０】
本発明のこれら及び他の態様は、以下に記載される実施例を参照して説明され、明らかになる。
【００２１】
本発明は、添付の図面を参照して、例として、より詳細に説明される。
【図面の簡単な説明】
【００２２】
【図１】周辺ユニット、ドッキングステーション及びドッキングされた装置を持つネットワークの概略図である。
【図２】ドッキングステーションとドッキングされた装置との間の第３の通信タイプを有する、図１のネットワークの概略図である。
【発明を実施するための形態】
【００２３】
図１及び２において、前記周辺ユニットは、参照符号ａ１、ａ２ないしａＮの下で描かれている。前記周辺ユニットは、マウス、キーボード、テレビセット、ＤＶＤプレイヤ、ラウドスピーカ等のような装置を有することができる。本発明の一実施例によると、前記第１の通信タイプは、ブルートゥース技術を有し、これらすべての周辺ユニットは、既存のバージョンのブルートゥースプロトコルを使用することができ、この場合、前記周辺ユニットは、ブルートゥースピコネットのブルートゥーススレーブになる。
【００２４】
無線ドッキングステーション１０は、特定の専用ステーションであることができるか、又は他の装置、例えばＰＣ、アクセスポイント、メディアプレイヤ、ＴＶ、ＰＣモニタ、車内エンタテインメントシステム、患者健康監視システム、ボディエリアセンサネットワーク等におけるアプリケーション又はソフトウェアとして実装されることができる。
【００２５】
ドッキングステーション１０は、無線モジュール（図示されない）、例えば単一の送信器／受信器セクションを持つソフトウェア無線ベースシステムを有する。本発明の一実施例によると、ドッキングステーション１０は、ペアリングシステムを有し、この場合、前記無線モジュールは、周辺ユニットａ１−ａＮとペアリングするメイン通信ユニット１１を有する。一実施例において、メイン通信ユニット１１は、ブルートゥーススレーブａ１−ａＮとペアリングするメインブルートゥースマスタである。メインブルートゥースマスタ１１は、好ましくは、対応するブルートゥーススレーブａ１−ａＮとペアリングするためにＶ４．０までの全てのブルートゥースバージョンの既存のペアリングプロトコルを有する。メインブルートゥースマスタ１１及び前記ブルートゥーススレーブは、ブルートゥースピコネットを形成する。
【００２６】
ドッキングステーション１０は、第２の通信タイプ、例えばＩＥＥＥ８０２．１１Ｗｉ−Ｆｉ規格及び特にＷｉ−Ｆｉ  ＤＩＲＥＣＴとしても知られるＷｉ−Ｆｉピア・ツー・ピア（Ｐ２Ｐ）通信規格の一方によって通信するドッキング通信モジュール１３をも有する。ドッキングステーション１０は、メインブルートゥースマスタ１１及びドッキングＷｉ−Ｆｉモジュール１３の動作を制御するドッキングコントローラモジュール１２をも有することができる。メインブルートゥースマスタ１１は、必ずしもドッキングステーション１０の一部でなくてもよい。一例において、ブルートゥースマスタ１１を実装する前記ペアリングシステムは、ドッキングステーション１０とは異なる別の装置（又は他の装置において実施される別のアプリケーション若しくはソフトウェア）であることができる。この場合、ドッキングステーション１０及びペアリングシステムの両方が、自らの通信タイプを可能にする追加の通信モジュールを有し、ドッキングステーション１０のドッキングコントローラモジュール１２は、前記ペアリングシステムと通信し、ブルートゥースペアリング情報を回復することができる。ドッキングステーション１０と前記ペアリングシステムとの間の前記通信タイプは、当業者が設計することができるものである。
【００２７】
ドッキングステーション１０及び周辺ユニットａ１−ａＮは、装置１００に対する無線ドッキング環境の少なくとも一部を形成する。この場合、前記無線ドッキングステーションは、装置１００に対して無線ドッキングホストの役割を担う。
【００２８】
装置１００は、携帯電話、タブレットコンピュータ、デジタルビデオ又はスチルカメラ、携帯オーディオ装置等のような、携帯型又はそうではない装置の１つでありうる。これらの装置は、"ドッキー（dockee）"と称される種類の装置、すなわちドッキングステーション１０とドッキングすることができる装置を形成する。このような装置は、ドッキングステーション１０の上述の"ドッキング要素"との通信を可能にする"ドッキー要素"を有する。本発明の一実施例によると、装置１００は、ブルートゥーススレーブａ１−ａＮと通信する第２のブルートゥースマスタ１０１を有する。装置１００は、無線モジュール（図示されない）、例えば単一の送信器／受信器セクションを持つソフトウェア無線ベースシステムを有する。前記無線モジュールは、第２のブルートゥースマスタ１０１を有する。
【００２９】
装置１００は、ドッキングステーション１０のドッキングＷｉ−Ｆｉモジュール１３と通信する通信モジュール１０３、例えばドッキーＷｉ−Ｆｉモジュール１０３をも有する。装置１００は、第２のブルートゥースマスタ１０１及びドッキーＷｉ−Ｆｉモジュール１０３の動作を制御するドッキーコントローラモジュール１０２をも有することができる。
【００３０】
無線ドッキング環境１において、ドッキングステーション１０は、ブルートゥーススレーブａ１−ａＮを、より便利な形で装置の他のブルートゥースマスタに接続することができるようにする。これを行うために、本発明による方法の準備ステップにおいて、ブルートゥーススレーブａ１−ａＮは、例えばユーザインタラクションにより、各ブルートゥーススレーブａ１−ａＮがサポートするブルートゥースペアリングプロトコルを使用して、ドッキングステーション１０のメインブルートゥースマスタ１１とペアリングされる。ドッキングステーション１０のメインブルートゥースマスタ１１は、これにより、各ブルートゥーススレーブのブルートゥースアドレス及びリンクキーのようなブルートゥーススレーブペアリング情報を含む。
【００３１】
装置１００が、無線ドッキング環境１に入り、範囲内であり、リッスンすることなる場合、これは、一実施例においてＩＥＥＥ８０２．１１Ｗｉ−Ｆｉ規格及びより具体的にはＷｉ−Ｆｉ  ＤＩＲＥＣＴを有する前記第２の通信タイプを使用して、ドッキングステーション１０との通信を開始する。ドッキングステーション１０に対する無線装置１００のペアリングは、"成功したドッキング"事象を生じ、装置１００は、ドッキングされた装置になる。
【００３２】
一度Ｗｉ−Ｆｉ接続が確立されると、ドッキングステーション１０は、ドッキングされた装置１００に前記ブルートゥースペアリング情報を送信することができる。前記ブルートゥースペアリング情報は、ブルートゥーススレーブａ１−ａＮと通信するのに適したデータを含む。これらのデータは、ブルートゥースアドレス、現在のチャネル周波数及び周波数ホッピングパターンのような、上述のブルートゥーススレーブペアリング情報、及びメインブルートゥースマスタペアリング情報を有する。
【００３３】
本発明による一実施例において、ドッキングステーション１０は、装置１００が信頼された装置と称されるものであるか否かを決定するために、装置１００を識別する。一例において、ドッキングステーション１０は、前記ブルートゥースペアリング情報を受信することを可能にされる所定の装置のリストを有し、前記リスト上に登録すると前記ブルートゥースペアリング情報をドッキングされた装置１００に送信することができる。このリストは、ドッキングステーション１０のメモリモジュールに記録されることができる。他の実施例において、ドッキングステーション１０に対する装置１００の接続は、Ｗｉ−ＦｉペアリングプロトコルによるＷｉ−Ｆｉ通信を利用可能にするためにユーザインタラクションを必要とする。
【００３４】
前記ブルートゥースペアリング情報は、安全な通信タイプによって送信される。本発明の一実施例において、前記第２の通信タイプは、安全にセットアップされた暗号化されたＷｉ−Ｆｉ接続を実施する。ドッキングステーション１０のドッキングコントローラモジュール１２は、メインブルートゥースマスタ１１に登録された前記ブルートゥースペアリング情報を回復し、次いで、ドッキングされた装置１００あてにドッキングＷｉ−Ｆｉモジュール１３に前記ブルートゥースペアリング情報を伝達する。
【００３５】
図２を参照する本発明の他の実施例によると、前記安全な通信タイプは、第３の通信タイプを実施する。前記第３の通信タイプは、好ましくは、前記ブルートゥースペアリング情報伝達の安全レベルを改善するために帯域外通信タイプを有する。一例において、前記第３の通信タイプは、ドッキングステーション１０とドッキングされた装置１００との間の近接場通信（ＮＦＣ）を使用する。したがって、ドッキングされた装置１００は、ドッキーＮＦＣモジュール１０４を有する。ドッキーコントローラモジュール１０２は、ドッキーＮＦＣモジュール１０４の動作を制御するようにも設計される。同様に、ドッキングステーション１０は、ドッキングＮＦＣモジュール１４を有する。ドッキングコントローラモジュール１２は、ドッキングＮＦＣモジュール１４の動作を制御するようにも設計される。ドッキングコントローラモジュール１２は、メインブルートゥースマスタ１１に登録された前記ブルートゥースペアリング情報を回復し、次いで、前記ブルートゥースペアリング情報をドッキングされた装置１００あてにドッキングＮＦＣモジュール１４に伝達し、前記ブルートゥースペアリング情報は、ドッキングＮＦＣモジュール１４に近接される場合にドッキーＮＦＣモジュール１０４により受信される。本発明は、近接場通信に限定されず、他の帯域外通信タイプが使用されてもよい。
【００３６】
前記ペアリング情報の送信は、ドッキングされた装置１００に対して説明されているが、前記第２の通信タイプを確立し、前記ペアリング情報を同時に送信することも可能でありうる。例えば、ＮＦＣは、装置１００が前記第２の通信タイプによってドッキングステーション１０に接続される場合に承認ステップの間に使用されることができ、前記ペアリング情報の送信は、この承認ステップの間に生じることができる。
【００３７】
ドッキングステーション１０により送信された前記ブルートゥースペアリング情報を受信すると、ドッキングされた装置１００は、ブルートゥーススレーブａ１−ａＮと通信することができるように第２のブルートゥースマスタ１０１を構成する。ドッキーコントローラモジュール１０２は、ドッキーＷｉ−Ｆｉモジュール１０３から（又はドッキーＮＦＣモジュール１０４から）前記ブルートゥースペアリング情報を受信し、次いで、ドッキングステーション１０のメインブルートゥースマスタ１１と同一であるように第２のブルートゥースマスタ１０１を構成する。したがって、ドッキングされた装置１００の第２のブルートゥースマスタ１０１は、ドッキングステーション１０のメインブルートゥースマスタ１１の代わりに、前記ブルートゥーススレーブと直接的に通信することができる（図１及び２において点線により描かれる）。
【００３８】
本発明の一実施例において、前記方法は、ドッキングされた装置１００が、前記ブルートゥースペアリング情報を受信するとドッキングステーション１０に承認メッセージを送信することを有する。前記承認メッセージは、Ｗｉ−Ｆｉチャネル又はＮＦＣチャネルを介して送信されることができる。ドッキングステーション１０により前記承認メッセージが受信されると、ドッキングコントローラモジュール１２は、一度に前記ブルートゥーススレーブと通信する１つだけのブルートゥースマスタが存在するようにメインブルートゥースマスタ１１に、ブルートゥーススレーブａ１−ａＮとの通信を停止させる。
【００３９】
この場合、ドッキングされた装置１００の第２のブルートゥースマスタ１０１がブルートゥーススレーブａ１−ａＮとの通信を停止することを検出すると、ドッキングステーション１０のメインブルートゥースマスタ１１は、ブルートゥーススレーブａ１−ａＮとのブルートゥース通信タイプを引き継ぐ。更に、ドッキングされた装置１００がドッキングステーション１０から切断する場合、切断事象（"切り離し"事象）は、ドッキングコントローラモジュール１２がメインブルートゥースマスタ１１にブルートゥーススレーブａ１−ａＮとのブルートゥース通信タイプを引き継がせるようにトリガする。
【００４０】
本発明は、１つだけのドッキングされた装置１００とブルートゥーススレーブａ１−ａＮとの間の接続を可能にすることに限定されない。他の装置も、無線ドッキング環境１に入ることができる。ドッキングステーション１０は、一度に１つのドッキングされた装置に前記ブルートゥースペアリング情報を送信し、これは、ドッキングステーション１０が、例えばブルートゥーススレーブａ１−ａＮと通信しているドッキングされた装置の他のブルートゥースマスタが存在しない場合に前記ブルートゥースペアリング情報を送信することを意味する。
【００４１】
本発明の一実施例において、前記方法は、ドッキングステーション１０が、例えば切り離し事象の後に、メインブルートゥースマスタ１１とブルートゥーススレーブａ１−ａＮとの間の暗号化鍵を新しくすることを有する。このステップは、Ｗｉ−Ｆｉチャネルを介したドッキングステーション１０との他の装置（図示されない）のペアリングの後に行われることもできる。
【００４２】
例えば、ブルートゥース規格は、ブルートゥース２．０仕様書パートＦセクション４．３ＣＨＡＮＧＥ  ＣＯＮＮＥＣＴＩＯＮ  ＬＩＮＫ  ＫＥＹ、及びパートＨセクション３．２．７  ＭＯＤＩＦＹＩＮＧ  ＴＨＥ  ＬＩＮＫ  ＫＥＹＳに記載されるようなメカニズムを使用することにより、ユーザインタラクションを必要とすることなしに前記暗号化鍵を新しくする方法を提供する。ドッキングステーション１０との装置の他のドッキングの前に前記暗号化鍵を新しくすることは、安全レベルを改善し、以前のドッキングされた装置がブルートゥーススレーブａ１−ａＮと他のドッキングされた装置との間のブルートゥース通信タイプをリッスンすることができうることを避ける利点を持つ。
【００４３】
更に、前記暗号化鍵を新しくするステップは、メインブルートゥースマスタ１１と各ブルートゥーススレーブａ１−ａＮとの間のブルートゥース通信の最小通信信号強度値を決定することを含みうる。この場合、前記暗号化鍵を新しくするステップは、メインブルートゥースマスタ１１及び／又は各ブルートゥーススレーブａ１−ａＮが、各ブルートゥーススレーブａ１−ａＮに対して適切な前記決定された信号強度値を使用することにより通信することを含む。各ブルートゥーススレーブに対する鍵更新（re-keying）手順の間に、メインブルートゥースマスタ１１は、前記ブルートゥーススレーブと通信するのに低すぎる信号強度で前記手順を開始し、前記信号強度は、メインブルートゥースマスタ１１が所定のブルートゥーススレーブから肯定的な応答（例えばＬＭＰ＿ｓｒｅｓ）を得るまで次第に増加する。メインブルートゥースマスタ１１とブルートゥーススレーブａ１−ａＮとの間の前記暗号化鍵を新しくすることを開始する前に、メインブルートゥースマスタ１１は、前記鍵更新ステップを実行するのに十分な増加されたタイムアウト値で前記ブルートゥーススレーブにブルートゥースメッセージ（"ＬＭＰ＿ｓｕｐｅｒｖｉｓｉｏｎ＿ｔｉｍｅｏｕｔ"）を送信することができる。
【００４４】
本発明の一実施例において、前記ペアリングシステムは、第１及び第２のメインブルートゥースマスタ（図示されない）を構成する。この実施例において、ブルートゥーススレーブは、（例えばブルートゥースヘッドセットのような）複数のブルートゥースマスタとペアリングすることができるものである。ブルートゥーススレーブのペアリング手順は、この場合、２回、すなわち上述のように各メインブルートゥースマスタに対して、実行される。したがって、前記ペアリングシステムは、２つの異なるペアリング情報クラスタを含む。上述の装置１００の識別ステップの後に、ドッキングステーション１０は、装置１００が信頼された装置である場合に一方のクラスタのペアリング情報を送信することができ、装置１００が信頼された装置ではない場合に他方のクラスタのペアリング情報を送信することができる。この実施例は、信頼されない装置（ゲスト装置とも称される）が、少なくとも異なるリンクキーを必要とする前記通信をリッスンすることができないので、前記信頼された装置と前記ブルートゥーススレーブとの間のブルートゥース通信の安全性を改善する利点を持つ。
【００４５】
本発明は、図面及び先行する記載において詳細に図示及び説明されているが、このような図示及び説明は、説明的又は典型的であり、限定的ではないとみなされるべきであり、本発明は、開示された実施例に限定されない。例えば、前記第２の通信タイプは、ＩＥＥＥ８０２．１１Ｗｉ−Ｆｉ規格に限定されない。
【００４６】
開示された実施例に対する他の変形例は、図面、開示及び添付の請求項の検討から、請求された発明を実施する当業者により理解及び達成されることができる。請求項において、単語"有する"は他の要素又はステップを除外せず、不定冠詞"１つの"は複数を除外しない。特定の方策が相互に異なる従属請求項に記載されているという単なる事実は、これらの方策の組み合わせが有利に使用されることができないことを示さない。請求項内の参照符号は、その範囲を限定するように解釈されるべきではない。
【図１】
0005972295.tif 000002
【図２】
0005972295.tif 000003